(57)【要約】【課題】質量の小さく、容易にフイルム状物に着脱できるクリップのフイルム状物の搬送装置搬送装置を提供する。【解決手段】フイルム３２のほぼ幅寸法を隔てて対峙し、スプロケットを介してフイルム３２を長手方向にガイドする１対のクリップチェン３０と、この１対のクリップチェン３０に夫々取付けた複数個のクリップ３１によりフイルム３２の幅方向の両端部を把持して長手方向に搬送するフイルム３２の搬送装置において、前記クリップ３１はフイルム把持面がクリップチェン３０移動中心線上になるよう取付けられた複数個の針状ピン３６によりフイルム３１の幅方向の両端部を噛みこむようにしたピンクリップ３１を有してなることを特徴とするフイルムの搬送装置。【選択図】　　　図１
2004091201.tif 000002
【特許請求の範囲】
【請求項１】
フイルム状物のほぼ幅寸法を隔てて対峙し、スプロケットを介してフイルム状物を長手方向にガイドする１対のクリップチェンと、この１対のクリップチェンに夫々取付けた複数個のクリップによりフイルム状物の幅方向の両端部を把持して長手方向に搬送するフイルム状物の搬送装置において、前記クリップはフイルム状物把持面がクリップチェン移動中心線上になるよう取付けられた複数個の針状ピンによりフイルム状物の幅方向の両端部を噛みこむようにしたピンクリップを有してなることを特徴とするフイルム状物の搬送装置。
【請求項２】
前記ピンクリップによりフイルム状物の幅方向の両端部を噛みこみ、フイルム状物の表面および裏面側を交互に折返し搬送することを特徴とする請求項１記載のフイルム状物の搬送装置。
【請求項３】
フイルム状物把持域の入口に有り、円周面をフイルム状物へ押付けることにより噛みこみを行う噛みこみリングと、フイルム状物把持域の出口のクリップチェン駆動用スプロケットに隣接して引離しロールと設け、この引離しロールによりクリップチェンとともに移動してきたフイルム状物をピンクリップから引離す方向に移動させ、一方ピンクリップをクリップチェン駆動用スプロケットに沿って移動させることによりフイルム状物をピンクリップから引離すピンクリップのフイルム状物への着脱装置を有することを特徴とする請求項１および請求項２の内のいずれか１記載のフイルム状物の搬送装置。
【発明の詳細な説明】
【０００１】
【発明の属する技術分野】
本発明はプラスチック或いは金属等のフイルム・シート状物（以下フイルム等という）の搬送装置に関する。
【０００２】
【従来の技術】
従来のフイルム等の搬送装置のクリップを図３（イ）および（ロ）により説明すると、複数個のローラ１ａ、１ｂ・・・と、　同ローラ１ａ、１ｂ・・・に夫々図示してないブッシュを介して回転自在に取付けられた軸ピン２と、ローラ１ａ、１ｂ・・・の幅方向の両端部にあって隣接する２個のローラ１ａ、１ｂ同士を一定間隔に保つとともに、軸ピン２を回転自在に支承する１対のガイド板３とから成る１対のクリップチェン４が図示してないスプロケットを介して駆動され、フイルム等５を長手方向（紙面に対し左右方向）にガイドさせている。
【０００３】
ガイド板３には互いに相手側クリップチェン４に向けて対峙させて設けた下爪６と上爪７から成るクリップ８が取付けてあり、通常は下爪６に対し鎖線７ａのように開いているが、対峙した１対のクリップチェン４の間にフイルム等が供給されると、幅方向両端部を把持する把持域で図示してないクリップ閉じ装置によりフイルム等５を図示のように上爪７と下爪６幅方向の両端部で把持するようにしている。
【０００４】
また他の従来例を図４（イ）および（ロ）で説明すると、前述の従来例と同様に複数個のローラ１０ａ、１０ｂ・・・と、　同ローラ１０ａ、１０ｂ・・・をブッシュを介して回転自在に取付けられた軸ピン１１と、１対のガイド板１２とから成る１対のクリップチェン１３がスプロケットを介して駆動され、フイルム等１４を長手方向（紙面に対し左右方向）にガイドさせている。ガイド板１２には互いに相手側クリップチェン１３に向けて対峙させて設けた下爪１５と上爪１７から成るクリップ１８が取付けてあり、下爪１５がローラ１０の上端より寸法ｔだけ突出した位置に設けてある。
【０００５】
下爪１５にはバネ１６により常に上爪１７が下爪１５側に引張られ、両爪１５および１７が閉じており、対峙した１対のクリップチェン１３の間にフイルム等１４が供給され、幅方向両端部を把持する把持域で矢印ｃ方向からバネ１６の引張り力に抗してバネ１６が図中押し上げられたときのみ、両爪１５および１７の間が開かれ、フイルム等１４を幅方向両端部で把持する。
【０００６】
【発明が解決しょうとする課題】
従って、前者においてはあらゆるフイルム５等に適用できるものの、複雑でスペース的に大きいクリップ開閉装置が必要であり、さらにクリップ８自体が頑丈で質量も大きく、熱容量が大きいため槽内の薬液等の温度を変えてしまうこともある。
【０００７】
また後者においては把持装置に把持されたフイルム等１４はその長手方向にガイドする際、下爪１５がローラ１０の上端から寸法ｔだけ突出していてフイルム把持面がクリップチェン１３の移動中心線ｄ上になく、図４（イ）において上方向に折り返す場合、折り返し点にあるスプロケットの回転に伴うフイルム把持面はクリップチェン１３の中心線が描く回転径より小さな回転径となり、幅方向両端部を把持されたフイルム等１４はゆるんでしまう。また図中下方向に折り返す場合、フイルム把持面はスプロケットの回転に伴うクリップチェン１３の移動中心線ｄが描く回転径より大きな回転径となり、幅方向両端部を把持されたフイルム等１４は移動方向に伸ばされて張ってしまい、時にはスプロケットが回転不能となってしまう。
【０００８】
本発明の目的は、従来のフイルム状物の搬送装置のクリップの質量が大きく熱容量が大きいため、槽内の薬液等の温度を変えてしまったり、クリップがフイルム状物への噛み込み、離脱に特殊な装置を必要とし、搬送装置全体が大形となり、据付用の専有面積、或いは専有空間も大きく、その製作費用も大きくなったという欠点を取除き、質量の小さい、従って熱容量が小さく、搬送装置全体が小型になると共に上下方向に折り返す場合、折り返し点にあるスプロケットの回転に伴うフイルム把持面はクリップチェン１３の中心線が描く回転径と同一になるフイルム状物の搬送装置を提供することに有る。
【０００９】
【課題を解決するための手段】
前述の目的を達成するため本発明は第１にフイルム状物のほぼ幅寸法を隔てて対峙し、スプロケットを介してフイルム状物を長手方向にガイドする１対のクリップチェンと、この１対のクリップチェンに夫々取付けた複数個のクリップによりフイルム状物の幅方向の両端部を把持して長手方向に搬送するフイルム状物の搬送装置において、前記クリップはフイルム状物把持面がクリップチェン移動中心線上になるよう取付けられた複数個の針状ピンによりフイルム状物の幅方向の両端部を噛みこむようにしたピンクリップとを有してなることを特徴とするフイルム状物の搬送装置とした。
【００１０】
また第２の発明として前記ピンクリップによりフイルム状物の幅方向の両端部を噛みこみ、フイルム状物の表面および裏面側に交互に折返し搬送するフイルム状物の搬送装置とした。
【００１１】
さらに第３の発明としてフイルム状物把持域の入口に有り、円周面をフイルム状物へ押付けることによりフイルム状物の幅方向の両端部をピンクリップに噛込ませる噛みこみリングと、フイルム状物把持域の出口のクリップチェン駆動用スプロケットに隣接して引離しリングと設け、この引離しリングによりクリップチェンとともに移動してきたフイルム状物をピンクリップから引離す方向に移動させる一方、ピンクリップをクリップチェン駆動用スプロケットに沿って移動させることによりフイルム状物をピンクリップから引離すピンクリップのフイルム状物への着脱装置を有することを特徴とするフイルム状物の搬送装置とした。
【００１２】
この発明はフイルム等の把持位置がクリップチェンの移動中心線上にあり、フイルム等の折返し位置にあるスプロケットの回転に伴うクリップチェンの移動中心線が描く回転径がフイルム等の表面および裏面側に折り返しても変わらないため、交互に折り返しガイドすることができる。またクリップの質量も小さく、従って熱容量が小さく、槽内の薬液等の温度を変えることなく、装置自身も搬送装置全体が小型化される。
【００１３】
【発明の実施の形態】
以下本発明の実施の形態を示すクリップチェンおよびクリップを図１（イ）ないし（ハ）により説明する。フイルムの幅を隔てて対峙した１対のクリップチェン３０（１対のうち片側のみ説明する）に夫々複数個取付けられたピンクリップ３１により幅方向の両端部表を把持されたフイルム３２が搬送されるようになっており、同ピンクリップ３１はクリップチェン３０のガイド板３３に固着された取付板３４に同ガイド板３３の両軸ピン３５ａ、３５ｂを結ぶクリップチェン３０の移動中心線線ｄ上に来るように互いに相手側クリップチェンに向けて対峙させて設けてある。
【００１４】
前記ピンクリップ３１は複数個の針状のピン３６を板状体３７に植え付けて成り、カラー３８を介して２本のボルト３９およびナット４０により取付板３４に取付けてある。
【００１５】
次に図２によりピンクリップ３１を用いてフイルム３２を例えば乾燥機等内等を表裏折り返し、搬送する場合等に用いる場合に付いて説明すると、フィルム３２は把持域入口へ来ると、円筒状の噛込むリング４１によりクリップチェン３０駆動用のスプロケット４２に押付けられ、ピンクリップ３１がフィルム３２の幅方の両端部を噛みこみ、フィルム３２はクリップチェン３０により例へば乾燥装置内、或いは薬剤等の液槽内を搬送されるようになる。
【００１６】
フィルム３２は把持域出口へ来ると、出口のスプロケット４３に隣接して設けられた引離しリング４４の間に導かれ、ピンクリップ３１とともに移動してきたフィルム３２は引離しリング４４によりピンクリップ３１から引離される矢印Ｂ方向に移動させられ、一方ピンクリップ３１はクリップチェン３０に従ってスプロケット４３に沿って移動し、フィルム３２のクリップ３１からの引離しが行われる。図５に本発明を使用した浸漬槽２０内でのフイルム２３、及びチエン２１の流れを示す。
【００１７】
【発明の効果】
以上説明したように本発明においては幅方向両端部を把持されたフイルムが表面および裏面に交互に折り返しガイドすることができ、さらにクリップが小型で質量が小さいので、フィルムを液槽内に浸漬させても液温度を変えることがなく、この把持装置を使用した乾燥機、液槽等が小形になり、その専有面積、専有体積も小さく製作費も安くできると共に上下方向に折り返す場合、折り返し点にあるスプロケットの回転に伴うフイルム把持面はクリップチェンの中心線が描く回転径と同一になる。
【図面の簡単な説明】
【図１】本発明の１実施形態例を示すクリップチェンおよびクリップの説明図で、（イ）はその一部を示す正面図、（ロ）は図（イ）の側面図、（ハ）は図（ロ）の断面Ａ−Ａ図である。
【図２】本発明の１実施形態例を示すピンクリップのフイルム状物への着脱装置の説明図である。
【図３】従来のクリップチェンとクリップの説明図で、（イ）はその正面図、（ロ）は図（イ）のＺ矢視図である。
【図４】従来の他のクリップチェンとクリップの説明図で、（イ）はその正面図、（ロ）は図（イ）のＹ矢視図である。
【図５】本発明のフィルムのオイル浸漬槽内をくり返し裏表に折り返して搬送する場合の説明図である。
【符号の説明】
３０　クリップチェン
３１　ピンクリップ
３２　フイルム
３３　ガイド板
３４　取付板
３５　軸ピン
３６　針状のピン
３７　板状体
３８　カラー
３９　ボルト
４０　ナット
４１　噛込みリング
４２、４３　スプロケット
４４　引離しリング
【図１】
2004091201.tif 000003
【図２】
2004091201.tif 000004
【図３】
2004091201.tif 000005
【図４】
2004091201.tif 000006
【図５】
2004091201.tif 000007